(57)【要約】      （修正有）【課題】救助信号を発信することによって救助隊員に遭難者の所在位置を容易に確認させることが可能な救助用懐中電灯を提供する。【解決手段】救助用懐中電灯は、ハウジング１、救助警告ランプ２、ブザー３、固定座４、第一回路板５、キャップ６、電池ホルダ７およびスイッチ機構８を備える。救助警告ランプ２は、ハウジング１の装着溝１４内に装着され、ＳＯＳの救助文字を表示する。ブザー３は、ハウジング１の陥没溝１１内に装着される。スイッチ機構８内のスイッチボタンを連続二回押し、救助警告ランプ２およびブザー３を起動すると、救助警告ランプ２はＳＯＳの救助警告信号を発し、ブザー３は極めて大きい警報を鳴らすと同時に光波および音波の救助信号を発生させる。これにより、救助隊員は遭難者の所在位置をより容易に確認し、遭難者は、迅速かつ効率よく救出されることができる。【選択図】図１
0003169221.tif 000002
【実用新案登録請求の範囲】
【請求項１】
ハウジング、救助警告ランプ、ブザー、固定座、第一回路板、キャップ、電池ホルダおよびスイッチ機構を備え、
前記ハウジングは、内側面に陥没溝を有するチャンバー、前後両端の外壁面に形成される外側ねじ山、一方の外側面に形成される装着溝、他方の外側面であって前記陥没溝に位置する複数の孔、及び、当該ハウジングの前後両端に装着された漏れ防止リングを有し、
前記救助警告ランプは、前記ハウジングの前記装着溝内に装着され、かつ一端に接続部を有する電源コードを有し、ＳＯＳの救助文字を表示し、
前記ブザーは、前記ハウジングの前記陥没溝内に装着され、一端に接続部を有する電源コードを有し、
前記固定座は、前記ハウジングの前端部に装着され、外壁面に外側ねじ山を有し、かつ内壁面に前記ハウジングの前端に位置する外側ねじ山と噛み合う内側ねじ山を有する貫通孔を有し、当該貫通孔は、内壁面に相互に向かい合う固定用突出部、およびねじ孔を有する二つの突出部を有し、固定座は外壁面に外側ねじ山を有し、
前記第一回路板は、前記固定座内に配置され、欠け口、および、前記固定座のねじ孔に締め付けられるねじが貫通可能な穿孔を有し、表面に発光体を有し、背面に一つのスプリング、前記救助警告ランプの接続部の接続に用いられる第一接続座、および、前記ブザーの接続部の接続に用いられる第二接続座を有し、
前記キャップは、前記固定座の前方に装着され、内部に透明ランプカバーを有する孔、および、内壁面に前記固定座の外側ねじ山と噛み合う内側ねじ山を有し、
前記電池ホルダは、前記ハウジングのチャンバー内に装着され、内部に電池を収容可能であり、一端が前記第一回路板のスプリングに接触し、
前記スイッチ機構は、前記ハウジングの後端部に装着され、一方の側面にスイッチボタンを有し他方の側面に前記電池ホルダの他端に接触するスプリングを有する第二回路板を内部に有し、内部に防水マットを有し、前記第二回路板および前記スイッチボタンに被さる軟性材質の防水カバーを外側面に有し、前記ハウジングの後端に位置する外側ねじ山と噛み合う内側ねじ山を内壁面に有することを特徴とする救助用懐中電灯。
【考案の詳細な説明】
【技術分野】
【０００１】
本考案は、救助用懐中電灯に関し、詳しくは、非常用照明の機能に加え、救助警告ランプおよびブザーを鳴らす機能を有する救助用懐中電灯に関する。
【背景技術】
【０００２】
近年、多くの国は地震、津波などの自然災害から襲われ、死傷および財産の損失を非常に深刻に受けた。災害に伴って生じる損失を確実に低減するために、多くの国は日頃から避難用バッグを備えることを国民に奨励しつづける。避難用バッグには必ず懐中電灯が入っていることから、避難の際の懐中電灯の重要性は明らかである。
【０００３】
２００８年５月１２日の中国の四川での大地震、２００９年８月８日の台湾での水害および２０１１年３月１１日の日本の東北での大地震が発生した直後、多くの人は、板にＳＯＳの文字を書いたり、屋上にＳＯＳのパターンを並べたりして救助を求めた。その後ほぼ全員が救出されたそうである。従って、ＳＯＳは全世界共通の救助信号であることに間違いないことが判明した。
【０００４】
しかしながら、一般の避難用バッグ内の懐中電灯には携帯および非常用照明以外の救助機能が付いていない。従って、本考案者は上述した従来の懐中電灯の欠点を改善するため、研究および改良を進めた結果、本考案を完成させた。
【考案の概要】
【考案が解決しようとする課題】
【０００５】
本考案は、照明機能、救助警告ランプ機能およびブザー機能を有し、かつ光波および音波を介して救助信号を発信することによって救助隊員に遭難者の所在位置を容易に確認させることが可能な救助用懐中電灯を提供することを主な目的とする。
【課題を解決するための手段】
【０００６】
上述の目的を達成するために、本考案による救助用懐中電灯は、ハウジング、救助警告ランプ、ブザー、固定座、第一回路板、キャップ、電池ホルダおよびスイッチ機構を備える。
【０００７】
ハウジングは、チャンバーを有し、チャンバーは内側面に陥没溝を有する。ハウジングは前後両端の外壁面に外側ねじ山を有し、一方の外側面に装着溝を有し、他方の外側面に陥没溝に位置する複数の孔を有する。ハウジングは前後両端に装着された漏れ防止リングを有する。
【０００８】
救助警告ランプは、ハウジングの装着溝内に装着され、かつ電源コードを有する。電源コードは一端に接続部を有する。救助警告ランプはＳＯＳの救助文字を表示する。
【０００９】
ブザーは、ハウジングの陥没溝内に装着され、電源コードを有する。電源コードは一端に接続部を有する。
【００１０】
固定座は、ハウジングの前端部に装着され、外壁面に外側ねじ山を有する。かつ内壁面にハウジングの前端に位置する外側ねじ山と噛み合う内側ねじ山を有する貫通孔を有する。固定座の貫通孔は内壁面に相互に向かい合う突出部および固定用突出部を有する。二つの突出部はねじ孔を有する。
【００１１】
第一回路板は、固定座内に配置され、欠け口、および、固定座のねじ孔に締め付けられるねじが貫通可能な穿孔を有する。第一回路板は表面に発光体を有し、背面に一つのスプリングおよび二つの接続座を有する。第一接続座は救助警告ランプの接続部の接続に用いられ、第二接続座はブザーの接続部の接続に用いられる。
【００１２】
キャップは、固定座の前方に装着され、孔を有する。孔は内部に透明ランプカバーを有する。キャップは内壁面に固定座の外側ねじ山と噛み合う内側ねじ山を有する。
【００１３】
電池ホルダは、ハウジングのチャンバー内に装着され、かつ内部に電池を収容可能である。電池ホルダは一端が第一回路板のスプリングに接触する。
【００１４】
スイッチ機構は、ハウジングの後端部に装着され、内部に第二回路板を有する。第二回路板は一方の側面にスイッチボタンを有し、他方の側面にスプリングを有する。スプリングは電池ホルダの他端に接触する。スイッチ機構は内部に防水マットを有し、外側面に軟性材質の防水カバーを有する。防水カバーは第二回路板およびスイッチボタンに被さる。スイッチ機構は内壁面にハウジングの後端に位置する外側ねじ山と噛み合う内側ねじ山を有する。
【図面の簡単な説明】
【００１５】
【図１】本考案の一実施形態による救助用懐中電灯を示す分解斜視図である。
【図２】本考案の一実施形態による救助用懐中電灯を示す斜視図である。
【図３】本考案の一実施形態による救助用懐中電灯を示す別の斜視図である。
【図４】本考案の一実施形態による救助用懐中電灯を示す断面図である。
【図５】本考案の一実施形態による救助用懐中電灯の機能を示す分解斜視図である。
【図６】本考案の一実施形態による救助用懐中電灯を照明に使用する状態を示す分解斜視図である。
【図７】本考案の一実施形態による救助用懐中電灯を救助に使用する状態を示す分解斜視図である。
【考案を実施するための形態】
【００１６】
以下、本考案の一実施形態による救助用懐中電灯を図面に基づいて説明する。
（一実施形態）
図１から図４に示すように、本考案の一実施形態による救助用懐中電灯は、ハウジング１、救助警告ランプ２、ブザー３、固定座４、第一回路板５、キャップ６、電池７およびスイッチ機構８を備える。
【００１７】
ハウジング１は、チャンバー１０を有し、チャンバー１０は内側面に陥没溝１１を有する。ハウジング１は前後両端の外壁面に外側ねじ山１２、１３を有し、外側面に装着溝１４を有し、他側面に陥没溝１１に位置する複数の孔１５を有する。ハウジング１は前後両端に装着された漏れ防止リング１６、１７を有する。
【００１８】
救助警告ランプ２は、ハウジング１の装着溝１４内に装着され、かつ電源コード２０を有する。電源コード２０は一端に接続部２１を有する。救助警告ランプ２はＳＯＳの救助文字２２を表示する。
【００１９】
ブザー３は、ハウジング１の陥没溝１１内に装着され、電源コード３０を有する。電源コード３０は一端に接続部３１を有する。
【００２０】
固定座４は、ハウジング１の前端部に装着され、かつ貫通孔４０を有する。貫通孔４０は内壁面にハウジング１の前端に位置する外側ねじ山１２と噛み合う内側ねじ山を４１有する。固定座４の貫通孔４０は内壁面に相互に向かい合う突出部４２および固定用突出部４４を有する。二つの突出部４２はねじ孔４３を有する。固定座４は外壁面に外側ねじ山４５を有する。
【００２１】
第一回路板５は、固定座４内に配置され、欠け口５０、および、固定座４のねじ孔４３に締め付けられるねじ５２が貫通可能な穿孔５１を有する。第一回路板５は表面に発光体５３を有し、背面に一つのスプリング５４および二つの接続座５５、５６を有する。第一接続座５５は救助警告ランプ２の接続部２１の接続に用いられ、第二接続座５６はブザー３の接続部３１の接続に用いられる。
【００２２】
キャップ６は、固定座４の前方に装着され、孔６０を有する。孔６０は内部に透明ランプカバー６１を有する。キャップ６は内壁面に固定座４の外側ねじ山４５と噛み合う内側ねじ山６２を有する。
【００２３】
電池ホルダ７は、ハウジング１のチャンバー１０内に装着され、かつ内部に電池７０を収容可能である。電池ホルダ７は一端が第一回路板５のスプリング５４に接触する。
【００２４】
スイッチ機構８は、ハウジング１の後端部に装着され、図４に示すように内部に第二回路板８０を有する。第二回路板８０は一つの側面にスイッチボタン８１を有し、他側面にスプリング８２を有する。スプリング８２は電池ホルダ７の他端に接触する。スイッチ機構８は内部に防水マット８３を有し、外側面に軟性材質の防水カバー８４を有する。防水カバー８４は第二回路板８０およびスイッチボタン８１に被さる。スイッチ機構８は内壁面にハウジング１の後端に位置する外側ねじ山１３と噛み合う内側ねじ山８５を有する。
本実施形態による救助用懐中電灯は上述した部品から構成される。
【００２５】
上述した部品を組み立てる際、図１から図４に示すように、まず救助警告ランプ２をハウジング１のチャンバー１０内に差し込み、そののち装着溝１４内に装着する。続いてハウジング１のチャンバー１０の陥没溝１１内にブザー３を装着する。続いてハウジング１の前後両端に漏れ防止リング１６、１７を装着する。
【００２６】
続いて第一回路板５を固定座４内に装着し、第一回路板５の欠け口５０を固定座４の固定用突出部４４に嵌め、第一回路板５の穿孔５１を固定座４のねじ孔４３に対応させ、ねじ５２によって第一回路板５を固定座４内に固定する。続いてハウジング１内の救助警告ランプ２の接続部２１およびブザー３の接続部３１をそれぞれ第一回路板５の二つの接続座５５、５６に差し込み、そののち固定座４の内側ねじ山４１とハウジング１の前端部に位置する外側ねじ山１２とを噛み合わせることによって固定座４をハウジング１の前方に固定する。
【００２７】
一方、キャップ６の孔６０内に透明ランプカバー６１を装着し、キャップ６の内側ねじ山６２と固定座４の外側ねじ山４５とを噛み合わせることによってキャップ６を固定座４の前方に固定する。
【００２８】
ハウジング１のチャンバー１０内に電池ホルダ７を装着し、電池ホルダ７の一端と固定座４の第一回路板５のスプリング５４とを相互に接触させ、そののちスイッチ機構８の内側ねじ山８５とハウジング１の後端部に位置する外側ねじ山１３とを噛み合わせることによってスイッチ機構８をハウジング１の後方に固定する。続いてスイッチ機構８の第二回路板８０のスプリング８２と電池ホルダ７の他端とを相互に接触させると、組み立てが完了する。
【００２９】
本実施形態による救助用懐中電灯を照明に使用する際、図５および図６に示すように、ハウジング１の後端部に位置するスイッチ機構８の防水カバー８４を押し、防水カバー８４を第二回路板８０のスイッチボタン８１に接触させると、本実施形態による懐中電灯は通電し、固定座４内の第一回路板５上の発光体５３を発光させる。このとき発光体５３の光はキャップ６の透明ランプカバー６１から放出される。上述した通り、スイッチボタン８１を一回押せば発光体５３の光を照明に使用することができる。
【００３０】
災害にあって脱出できない際、図５および図７に示すように、本実施形態による懐中電灯の後端部に位置するスイッチ機構８内のスイッチボタン８１を連続二回押し、救助警告ランプ２およびブザー３を起動すると、救助警告ランプ２はＳＯＳの救助警告信号を発し、ブザー３は極めて大きい警報を鳴らすと同時に光波および音波の救助信号を発生させる。ＳＯＳの光波および救助音波が発生すれば、遭難者が非常に深い障害物の下に閉じ込まれても、救助隊員は体温センサーによって遭難者がいるか否かを感知するほかに、ソナーおよび光波感知器によって捜査を進めることできる。遭難者が本実施形態による懐中電灯を使用し、救助警告ランプ２およびブザー３を起動すれば、救助隊員は遭難者の所在位置をより容易に確認し、捜査の便をはかることができる。従って、遭難者が本実施形態による救助用懐中電灯を使用すれば、迅速かつ効率よく救出されることができる。
【００３１】
スイッチボタン８１を一回押せば、電源を入れて照明機能を果たすことができる。スイッチボタン８１を連続２回押せば救助警告ランプ２およびブザー３を起動し、救助信号を発し、救助機能を果たすことができる。本実施形態による懐中電灯の電源を切る際、スイッチボタン８１を連続３回押せば電源を遮断することができる。
従って、本実施形態による救助用懐中電灯は照明に適用することができるだけでなく、救助機能を増設することによって使用上の利便性を高めることができる。
【００３２】
以上、本考案は、上記実施形態になんら限定されるものではなく、考案の趣旨を逸脱しない範囲において種々の形態で実施可能である。
【符号の説明】
【００３３】
１  ：ハウジング、
１０：チャンバー、
１１：陥没溝、
１２：外側ねじ山、
１３：外側ねじ山、
１４：装着溝、
１５：孔、
１６：漏れ防止リング、
１７：漏れ防止リング、
２  ：救助警告ランプ、
２０：電源コード、
２１：接続部、
２２：救助文字、
３  ：ブザー、
３０：電源コード、
３１：接続部、
４  ：固定座、
４０：貫通孔、
４１：内側ねじ山、
４２：突出部、
４３：ねじ孔、
４４：固定用突出部、
４５：外側ねじ山、
５  ：第一回路板、
５０：欠け口、
５１：穿孔、
５２：ねじ、
５３：発光体、
５４：スプリング、
５５：（第一）接続座、
５６：（第二）接続座、
６  ：キャップ、
６０：孔、
６１：透明ランプカバー、
６２：内側ねじ山、
７  ：電池ホルダ、
７０：電池、
８  ：スイッチ機構、
８０：第二回路板、
８１：スイッチボタン
８２：スプリング、
８３：防水マット、
８４：防水カバー、
８５：内側ねじ山
【図１】
0003169221.tif 000003
【図２】
0003169221.tif 000004
【図３】
0003169221.tif 000005
【図４】
0003169221.tif 000006
【図５】
0003169221.tif 000007
【図６】
0003169221.tif 000008
【図７】
0003169221.tif 000009